(57)【特許請求の範囲】
【請求項１】
室外機と一対一に対応するシングル用室内機が、室内機と多対一に対応するマルチ用室外機に接続される空気調和機であって、
前記マルチ用室外機に配置され、前記マルチ用室外機および前記シングル用室内機の間で冷媒を循環させる圧縮機の吐出冷媒流量を制御する制御部と、
前記シングル用室内機に係る情報、および、前記シングル用室内機から前記圧縮機に要求する前記吐出冷媒流量の上限である室内側上限要求流量を記憶する記憶部と、
が設けられ、
前記制御部には、前記記憶部から取得する前記情報に基づいて定まる前記吐出冷媒流量の上限であって、前記室内側上限要求流量よりも値が小さな室外側上限要求流量が記憶され、
前記制御部は、前記シングル用室内機が停止されていた状態から冷房運転が開始され、または、冷房サーモ運転が終了して冷房運転が再開されてから所定の期間が経過した場合に、前記シングル用室内機に吸い込まれる空気の温度が所定空気温度以上になって所定期間経過した場合、前記室外側上限要求流量に基づいて前記吐出冷媒流量を制御し、それ以外の場合に、前記室内側上限要求流量に基づいて前記吐出冷媒流量を制御し、
前記マルチ用室外機に複数台の前記シングル用室内機が接続され、半数以下の前記シングル用室内機が冷房運転されている場合、
前記制御部は、冷房運転されている前記シングル用室内機の室内熱交換器の温度が所定熱交温度未満の場合、冷房運転されている前記シングル用室内機から前記制御部に要求される前記吐出冷媒流量である要求冷媒流量を減らす補正を行い、補正後の前記吐出冷媒流量が下限値以下である場合に該下限値を前記吐出冷媒流量とすることを特徴とする空気調和機。
【請求項２】
室外機と一対一に対応するシングル用室内機が、室内機と多対一に対応するマルチ用室外機に接続される空気調和機の制御方法であって、
前記シングル用室内機に吸い込まれる空気の温度が所定温度以上となって所定期間を経過したか否かを判定する吸込温度判定ステップと、
前記シングル用室内機が停止されていた状態から冷房運転が開始され、または、冷房サーモ運転が終了して冷房運転が再開されてから所定の期間が経過し、前記吸込温度判定ステップにおける条件を満たす場合に、前記シングル用室内機に係る情報に基づいて定まる圧縮機の吐出冷媒流量の上限であって、前記シングル用室内機に記憶された室内側上限要求流量よりも値が小さな室外側上限要求流量を取得する上限値取得ステップと、
前記吸込温度判定ステップにおける条件を満たさない場合に、前記室外側上限要求流量の代わりに、前記室内側上限要求流量よりも値が大きな既定上限要求流量を取得する既定値取得ステップと、
前記室外側上限要求流量および前記室内側上限要求流量のうち値が小さなもの、または、前記既定上限要求流量および前記室内側上限要求流量のうち値が小さなものを前記吐出冷媒流量の上限値として選択する選択ステップと、
を有し、
前記選択ステップにおいて選択された前記吐出冷媒流量の上限値に基づいて前記吐出冷媒流量を制御し、
冷房運転されている前記シングル用室内機の室内熱交換器の温度が所定熱交温度未満の場合、冷房運転されている前記シングル用室内機から前記制御部に要求される前記吐出冷媒流量である要求冷媒流量を減らす補正を行い、補正後の前記吐出冷媒流量が下限値以下である場合に該下限値を前記吐出冷媒流量とすることを特徴とする空気調和機の制御方法。
【発明の詳細な説明】
【技術分野】
【０００１】
本発明は、１台の室外機に複数台の室内機が並列に接続され、複数台の室内機が別個に運転される空気調和機および空気調和機の制御方法に関する。
【背景技術】
【０００２】
一般に空気調和装置には、１台の室外機ユニットに対し、室内機ユニットが１台接続された構成のシングル型と、それぞれ独自の運転制御を可能にした室内機ユニットが複数台接続された構成のマルチ型とがあることが知られている。
上述したマルチ型の空気調和装置では、冷房運転や暖房運転等の運転モードは同じであっても、設置した部屋の状況や好み等に応じて、複数ある室内機ユニットが各々異なる能力及び風量に設定されて運転される場合がある。また、室内機ユニットの設置場所に応じて、空調能力が異なる複数を組み合わせて１台の室外機ユニットに接続する場合もある。
【０００３】
ところで、上述のマルチ型空気調和装置において、冷房運転時や除湿運転時に複数の室内機ユニットが異能力の設定、異風量の設定で同時に運転されると、室内熱交換器を通過したランナ部分に結露や露付きが生じることが懸念される。
【０００４】
このような結露等は、室内機ユニット毎に設けられて各々独自の開度調整を行う電子膨張弁が、運転開始時（起動時）に受ける開度指令により冷媒分配のアンバランスが大きい状態で安定した場合に生じるものである。
一方で、異能力の設定、異風量の設定で複数の室内機ユニットが同時運転され、適正な状態で安定した運転が継続されている場合にであっても、例えば油戻し制御のように膨張弁の開度を変更するような外乱が生じると、上述した運転開始時と同様に冷媒分配のアンバランスが生じて小能力側の室内機ユニットで結露や露付きが生じる場合がある（例えば、特許文献１参照。）。
【先行技術文献】
【特許文献】
【０００５】
【特許文献１】特開２００６−２３４２９６号公報
【発明の概要】
【発明が解決しようとする課題】
【０００６】
上述の結露発生を防止する方法としては、各室内機ユニットに対応する電子膨張弁における開度を、それぞれ独立に制御する方法が行われていた。
さらに、マルチ型空気調和装置には、マルチ型に対応した室内機ユニットが用いられることが一般的であるため、当該室内機ユニットに結露発生の防止を目的とした風量の設定を行い、上述の電子膨張弁の制御とあわせて結露発生の防止が図られていた。
【０００７】
その一方で、近年、マルチ型空気調和機に対して、シングル型の空気調和機、つまり１台の室外機に１台の室内機が接続される室内機が用いられる（共用化される）場合がある。言い換えると、マルチ型の室外機に、複数のシングル型の室内機が並列に接続されたり、マルチ型の室内機およびシングル型の室内機が混在して並列に接続されたりする場合がある。
【０００８】
このように、マルチ型の室外機にシングル型の室内機が接続されると、シングル型の室内機は、上述の結露発生の防止を目的とした風量の設定がなされていないため、結露発生の防止が不十分となり、結露が発生するおそれがあった。
つまり、マルチ型の室外機に設けられた電子膨張弁の開度制御のみでは、結露発生の防止としては不十分であり、シングル型の室内機において結露が発生するおそれがあるという問題があった。
【０００９】
本発明は、上記の課題を解決するためになされたものであって、マルチ型の空気調和機にシングル型の室内機を用いた場合に、シングル型の室内機における制御に関わらずに冷房運転時の露付きを防止することができる空気調和機および空気調和機の制御方法を提供することを目的とする。
【課題を解決するための手段】
【００１０】
上記目的を達成するために、本発明は、以下の手段を提供する。
本発明の空気調和機は、室外機と一対一に対応するシングル用室内機が、室内機と多対一に対応するマルチ用室外機に接続される空気調和機であって、前記マルチ用室外機に配置され、前記マルチ用室外機および前記シングル用室内機の間で冷媒を循環させる圧縮機の吐出冷媒流量を制御する制御部と、前記シングル用室内機に係る情報、および、前記シングル用室内機から前記圧縮機に要求する前記吐出冷媒流量の上限である室内側上限要求流量を記憶する記憶部と、が設けられ、前記制御部には、前記記憶部から取得する前記情報に基づいて定まる前記吐出冷媒流量の上限であって、前記室内側上限要求流量よりも値が小さな室外側上限要求流量が記憶され、前記制御部は、前記シングル用室内機が停止されていた状態から冷房運転が開始され、または、冷房サーモ運転が終了して冷房運転が再開されてから所定の期間が経過した場合に、前記シングル用室内機に吸い込まれる空気の温度が所定空気温度以上になって所定期間経過した場合、前記室外側上限要求流量に基づいて前記吐出冷媒流量を制御し、それ以外の場合に、前記室内側上限要求流量に基づいて前記吐出冷媒流量を制御し、前記マルチ用室外機に複数台の前記シングル用室内機が接続され、半数以下の前記シングル用室内機が冷房運転されている場合、前記制御部は、冷房運転されている前記シングル用室内機の室内熱交換器の温度が所定熱交温度未満の場合、冷房運転されている前記シングル用室内機から前記制御部に要求される前記吐出冷媒流量である要求冷媒流量を減らす補正を行い、補正後の前記吐出冷媒流量が下限値以下である場合に該下限値を前記吐出冷媒流量とすることを特徴とする。
【００１１】
本発明によれば、シングル用室内機に記憶されている室内側上限要求流量や、シングル用室内機における風量の制御などに関わらず、マルチ用室外機に接続されたシングル用室内機における露付きや結露を防止することができる。
【００１２】
具体的には、露付き等が発生しやすい状態、つまり、シングル用室内機に吸い込まれる空気の温度が所定空気温度（例えば、２２℃程度。）以上になって所定期間（例えば、１分間程度。）が経過した状態になった場合には、圧縮機から吐出される吐出冷媒流量の上限は室外側上限要求流量とされる。このことにより、室内側上限要求流量を吐出冷媒流量の上限とした場合と比較して、吐出冷媒流量の最大値が小さくなり、シングル用室内機における冷房能力が低く抑えられる。その結果、シングル用室内機における露付きや結露の発生を防止できる。さらに、室外側上限要求流量はマルチ用室外機に設けられた制御部に記憶されているため、シングル用室内機に改造を施す等の手間をかけることなく、シングル用室内機における露付きや結露の発生を防止できる。
【００１３】
一方で、露付き等が発生しにくい状態、つまり、シングル用室内機に吸い込まれる空気の温度が所定空気温度未満であったり、所定空気温度以上であっても所定期間が経過していなかったりする場合には、圧縮機から吐出される吐出冷媒流量の上限は室内側上限要求流量とされる。ここで、室内側上限要求流量は、露付き等の防止を考慮することなくシングル用室内機の形式や容量に基づいて定められたものであって、露付き等の防止を目的として定められた室内側上限要求流量と比較して値が大きいものである。そのため、室外側上限要求流量を吐出冷媒流量の上限とした場合と比較して、吐出冷媒流量の最大値が大きくなり、シングル用室内機は設計により定められた冷房能力を発揮することができる。
【００１４】
上記発明においては、マルチ用室外機に複数台のシングル用室内機が接続され、半数以下のシングル用室内機が冷房運転されている場合、制御部は、冷房運転されているシングル用室内機の室内熱交換器の温度が所定熱交温度未満の場合、冷房運転されているシングル用室内機から制御部に要求される吐出冷媒流量である要求冷媒流量を減らす補正を行い、補正後の吐出冷媒流量が下限値以下である場合に該下限値を前記吐出冷媒流量とする。
【００１５】
本発明によれば、シングル用室内機に供給される冷媒流量が過剰になり露付き等が発生しやすい状態、つまり、マルチ用室外機に接続されている複数の室内機における過半数において冷房運転が停止され、半数以下のシングル用室内機において冷房運転が行われている状態であっても、当該シングル用室内機における露付きや結露を防止することができる。
【００１６】
具体的には、室内熱交換器の温度が所定熱交温度未満では、要求冷媒流量を減らす補正を行い、補正後の要求冷媒流量に基づいて圧縮機が制御される。これにより、吐出冷媒流量が減らされ、室内熱交換器に供給される冷媒の流量も減らされる。その結果、室内熱交換器の温度が所定熱交温度以上になり、シングル用室内機における露付きや結露の発生を防止できる。
【００１７】
本発明の空気調和機の制御方法は、室外機と一対一に対応するシングル用室内機が、室内機と多対一に対応するマルチ用室外機に接続される空気調和機の制御方法であって、前記シングル用室内機に吸い込まれる空気の温度が所定温度以上となって所定期間を経過したか否かを判定する吸込温度判定ステップと、前記シングル用室内機が停止されていた状態から冷房運転が開始され、または、冷房サーモ運転が終了して冷房運転が再開されてから所定の期間が経過し、前記吸込温度判定ステップにおける条件を満たす場合に、前記シングル用室内機に係る情報に基づいて定まる圧縮機の吐出冷媒流量の上限であって、前記シングル用室内機に記憶された室内側上限要求流量よりも値が小さな室外側上限要求流量を取得する上限値取得ステップと、前記吸込温度判定ステップにおける条件を満たさない場合に、前記室外側上限要求流量の代わりに、前記室内側上限要求流量よりも値が大きな既定上限要求流量を取得する既定値取得ステップと、前記室外側上限要求流量および前記室内側上限要求流量のうち値が小さなもの、または、前記既定上限要求流量および前記室内側上限要求流量のうち値が小さなものを前記吐出冷媒流量の上限値として選択する選択ステップと、を有し、前記選択ステップにおいて選択された前記吐出冷媒流量の上限値に基づいて前記吐出冷媒流量を制御し、冷房運転されている前記シングル用室内機の室内熱交換器の温度が所定熱交温度未満の場合、冷房運転されている前記シングル用室内機から前記制御部に要求される前記吐出冷媒流量である要求冷媒流量を減らす補正を行い、補正後の前記吐出冷媒流量が下限値以下である場合に該下限値を前記吐出冷媒流量とする。
【００１８】
本発明によれば、シングル用室内機に記憶されている室内側上限要求流量や、シングル用室内機における風量の制御などに関わらず、マルチ用室外機に接続されたシングル用室内機における露付きや結露を防止することができる。
【００１９】
具体的には、露付き等が発生しやすい状態、つまり、シングル用室内機に吸い込まれる空気の温度が所定空気温度（例えば、２２℃程度。）以上になって所定期間（例えば、１分間程度。）が経過した状態になった場合には、室外側上限要求流量および室内側上限要求流量のうち値が小さなもの（つまり、室外側上限要求流量）が吐出冷媒流量の上限値として選択される。その結果、室内側上限要求流量を吐出冷媒流量の上限とした場合と比較して、吐出冷媒流量の最大値が小さくなり、シングル用室内機における露付きや結露の発生を防止できる。
【００２０】
その一方で、露付き等が発生しにくい状態、つまり、シングル用室内機に吸い込まれる空気の温度が所定空気温度未満であったり、所定空気温度以上であっても所定期間が経過していなかったりする場合には、既定上限要求流量および室内側上限要求流量のうち値が小さなもの（つまり、室内側上限要求流量）が吐出冷媒流量の上限値として選択される。その結果、室外側上限要求流量を吐出冷媒流量の上限とした場合と比較して、吐出冷媒流量の最大値が大きくなり、シングル用室内機は設計により定められた冷房能力を発揮することができる。
【発明の効果】
【００２１】
本発明の空気調和機および空気調和機の制御方法によれば、冷房運転時にシングル用室内機に吸い込まれる空気の温度が所定空気温度以上になって所定期間経過した場合に、シングル用室内機から圧縮機に要求する吐出冷媒流量の上限である室内側上限要求流量よりも値の小さな室外側上限要求流量に基づいて吐出冷媒流量を制御することにより、マルチ型の空気調和機にシングル型の室内機を用いた場合であっても、シングル型の室内機における制御に関わらずに冷房運転時の露付きを防止することができるという効果を奏する。
【図面の簡単な説明】
【００２２】
【図１】本発明の一実施形態に係る空気調和機の構成を説明する模式図である。
【図２】図１の演算部および制御部の構成を説明するブロック図である。
【図３】図１の空気調和機にける上限回転数の設定方法を説明するフローチャートである。
【図４】図１の空気調和機における圧縮機の回転数制御を説明するフローチャートである。
【図５】図１の空気調和機における圧縮機の回転数制御を説明するフローチャートである。
【図６】図１の空気調和機における圧縮機の回転数制御を説明するフローチャートである。
【図７】室内熱交センサにより測定された温度の判定条件を説明するグラフである。
【発明を実施するための形態】
【００２３】
この発明の一実施形態に係る空気調和装置について、図１から図７を参照して説明する。
図１は、本実施形態に係る空気調和機の構成を説明する模式図である。
本実施形態の空気調和機１は、図１に示すように、１台の室外機（マルチ用室外機）２と、４台のシングル用室内機４Ａ，４Ｂ，４Ｃ，４Ｄと、を備える空気調和機である。なお、室内機の台数は複数であればよく、上述の４台よりも多くても少なくてもよく、特に限定するものではない。
【００２４】
ここで、シングル用室内機４Ａ，４Ｂ，４Ｃ，４Ｄは、シングル用室外機と１対１に接続されることを前提とした室内機であり、マルチ用の室外機２は、１台のマルチ用の室外機２に対して複数台の室内機が接続されることを前提とした室外機である。
シングル用室内機４Ａ，４Ｂ，４Ｃ，４Ｄのそれぞれから室外機２の演算部６に向けて送信される要求回転数の上限は、シングル用室外機における圧縮機の上限回転数に基づいて定められたものであって、要求冷媒吐出流量としてはマルチ用の室外機２における圧縮機の上限回転数における冷媒吐出流量よりも低いものである。
【００２５】
室外機２には、図１に示すように、圧縮機２１と、四方弁２２と、室外熱交換器２３と、膨張弁２４Ａ，２４Ｂ，２４Ｃ，２４Ｄと、演算部６と、制御部７と、が主に設けられている。
さらに、室外機２とシングル用室内機４Ａ，４Ｂ，４Ｃ，４Ｄとの間には、液側操作弁２５Ａ，２５Ｂ，２５Ｃ，２５Ｄと、ガス側操作弁２６Ａ，２６Ｂ，２６Ｃ，２６Ｄと、が設けられている。
【００２６】
圧縮機２１は、１台の室外機２と、４台のシングル用室内機４Ａ，４Ｂ，４Ｃ，４Ｄとの間で冷媒を循環させるものであり、低温低圧の冷媒を吸入して圧縮し、高温高圧の冷媒とするものである。言い換えると、シングル用室内機４Ａ，４Ｂ，４Ｃ，４Ｄに対して必要な冷媒を循環させるだけの吐出冷媒流量を実現できる圧縮機２１である。
圧縮機２１の吸入口には、アキュムレータ２７および別置アキュムレータ２８が冷媒の流通が可能に接続され、吐出口にはマフラ２９が冷媒の流通が可能に接続されている。
【００２７】
さらに、圧縮機２１は、制御部７によって駆動回転数が制御され、圧縮機２１から吐出される冷媒の流量である吐出冷媒流量が制御される。
なお、圧縮機２１としては、モータにより回転駆動されるスクロール型圧縮機などの公知の圧縮機を用いることができ、特に限定するものではない。
【００２８】
アキュムレータ２７および別置アキュムレータ２８は、圧縮機２１に気体冷媒を供給するとともに、液冷媒を一時的に貯留して１台の室外機２と４台のシングル用室内機４Ａ，４Ｂ，４Ｃ，４Ｄとの間で冷媒の流量を調節するものである。
【００２９】
アキュムレータ２７は、圧縮機２１と別置アキュムレータ２８との間に配置され、圧縮機２１の吸入口に気体冷媒を供給可能に接続されている。別置アキュムレータ２８は、アキュムレータ２７と四方弁２２との間に配置され、アキュムレータ２７に気体冷媒を供給可能に接続されている。
アキュムレータ２７と別置アキュムレータ２８とを接続する配管には、圧縮機２１に吸入される冷媒温度を測定する吸入管センサ３１が配置されている。
【００３０】
マフラ２９は、圧縮機２１から吐出される冷媒の圧力変動を緩和するものであり、圧力変動に起因する振動や騒音の発生を抑制するものである。
マフラ２９は、圧縮機２１と四方弁２２との間に配置され、圧縮機２１の吐出口と冷媒の流通が可能に接続されている。マフラ２９と圧縮機２１とを接続する配管には、圧縮機２１から吐出された冷媒の温度を測定する吐出管センサ３２が配置されている。
【００３１】
四方弁２２は、空気調和機１の運転状態に応じて、圧縮機２１から吐出された冷媒の流出先を制御するものである。
具体的には、冷房運転時には、圧縮機２１から吐出された冷媒を室外熱交換器２３に導き、室内熱交換器４１から流出した冷媒を圧縮機２１に導くものである。暖房運転時には、圧縮機２１から吐出された冷媒を室内熱交換器４１に導き、室外熱交換器２３から流出した冷媒を圧縮機２１に導くものである。
【００３２】
四方弁２２は、別置アキュムレータ２８に向かって冷媒を流出可能に、かつ、マフラ２９から冷媒が流入可能に接続されている。さらに、室外熱交換器２３と、シングル用室内機４Ａ，４Ｂ，４Ｃ，４Ｄの室内熱交換器４１とに対して冷媒が流入または流出可能に接続されている。
なお、四方弁２２としては、公知の弁を用いることができ、特に限定するものではない。
【００３３】
室外熱交換器２３は、室外の空気と冷媒との間で熱交換を行うものである。具体的には、冷房運転時には、冷媒の熱を室外の空気に放熱させるものであり、暖房運転時には、室外の空気の熱を冷媒に吸熱させるものである。室外熱交換器２３は、四方弁２２とレシーバ３３との間に配置され、両者と冷媒の流通が可能に接続されたものである。
室外熱交換器２３には、室外熱交換器２３の温度を測定する室外熱交換器センサ３４と、室外空気の温度を測定する外気温度センサ３５と、が配置されている。
【００３４】
レシーバ３３は、室外熱交換器２３と膨張弁２４Ａ，２４Ｂ，２４Ｃ，２４Ｄとの間に配置され、両者と冷媒の流通が可能に接続されたものである。レシーバ３３は、主として冷房運転時に、液体冷媒を膨張弁２４Ａ，２４Ｂ，２４Ｃ，２４Ｄに供給するものである。
【００３５】
膨張弁２４Ａ，２４Ｂ，２４Ｃ，２４Ｄは、通過する冷媒を断熱膨張させるものであり、冷媒の温度および圧力を低下させるものである。膨張弁２４Ａ，２４Ｂ，２４Ｃ，２４Ｄは、それぞれシングル用室内機４Ａ，４Ｂ，４Ｃ，４Ｄに対応して配置、言い換えると、冷媒が流通可能に接続されている。具体的には、膨張弁２４Ａ，２４Ｂ，２４Ｃ，２４Ｄは、レシーバ３３から延びる１本の配管をシングル用室内機４Ａ，４Ｂ，４Ｃ，４Ｄに対応して分岐させた４つの配管にそれぞれ配置されている。
さらに、膨張弁２４Ａ，２４Ｂ，２４Ｃ，２４Ｄは、制御部７によって弁の開度が制御される電子膨張弁である。
【００３６】
液側操作弁２５Ａ，２５Ｂ，２５Ｃ，２５Ｄは、シングル用室内機４Ａ，４Ｂ，４Ｃ，４Ｄから延びる配管と接続される部分であって、シングル用室内機４Ａ，４Ｂ，４Ｃ，４Ｄのそれぞれに対応して配置された操作弁である。さらに、液側操作弁２５Ａ，２５Ｂ，２５Ｃ，２５Ｄは、膨張弁２４Ａ，２４Ｂ，２４Ｃ，２４Ｄと対応して配置され、両者の間には、音消しキャピラリ３６およびストレーナ３７が配置されている。
【００３７】
ガス側操作弁２６Ａ，２６Ｂ，２６Ｃ，２６Ｄは、シングル用室内機４Ａ，４Ｂ，４Ｃ，４Ｄから延びる配管と接続される部分であって、シングル用室内機４Ａ，４Ｂ，４Ｃ，４Ｄのそれぞれに対応して配置された操作弁である。ガス側操作弁２６Ａ，２６Ｂ，２６Ｃ，２６Ｄは、マニフォールド３８を介して四方弁２２と冷媒が流通可能に接続されている。
【００３８】
図２は、図１の演算部および制御部の構成を説明するブロック図である。
演算部６は、シングル用室内機４Ａ，４Ｂ，４Ｃ，４Ｄのそれぞれにおける要求回転数を算出するものである。ここで、要求回転数とは、シングル用室内機４Ａ，４Ｂ，４Ｃ，４Ｄが、それぞれの運転状態において必要な冷房性能を発揮させるために必要な冷媒流量である要求吐出流量に基づいて算出される値である。
【００３９】
さらに、演算部６には、図２に示すように、吸込センサ４２により測定されたシングル用室内機４Ａに吸い込まれた室内空気温度の測定値、および、シングル用室内機４Ａに入力された室内空気の設定温度の値が入力されるように構成されている。その一方で、演算部６により算出された要求回転数は、制御部７に入力されるように構成されている。ここで、図２では説明を容易にするために、シングル用室内機４Ａに対応する構成のみを表わしているが、シングル用室内機４Ｂ，４Ｃ，４Ｄについても同様の構成が設けられている。
なお、演算部６における要求回転数の算出方法については後述する。
【００４０】
制御部７は、図１および図２に示すように、空気調和機１の運転状態、特に圧縮機２１の回転数を制御するものである。具体的には、シングル用室内機４Ａ，４Ｂ，４Ｃ，４Ｄに係る要求回転数を足し合わせた回転数に基づいて圧縮機２１の回転数を制御するものである。さらに、制御部７には、シングル用室内機４Ａ，４Ｂ，４Ｃ，４Ｄの機種、および、その容量に対応する室外側上限回転数（室外側上限要求流量）Ｘのマップが記憶されている。
【００４１】
一方で制御部７は、膨張弁２４Ａ，２４Ｂ，２４Ｃ，２４Ｄの弁開度や、室外ファン（図示せず。）の運転状態、および、シングル用室内機４Ａ，４Ｂ，４Ｃ，４Ｄにおける室内ファン（図示せず。）の運転状態や、ルーバー（図示せず。）の動作などを制御してもよく、特に限定はしない。
【００４２】
制御部７には、外気温度センサ３５の測定値、演算部６により演算された要求回転数、シングル用室内機４Ａにおける圧縮機状態表示、シングル用室内機４Ａにおける室内側上限回転数（室内側上限要求流量）Ｎｍａｘｉ（ｉ）、シングル用室内機４Ａの機種およびその容量に関する情報が入力されるように構成されている。その一方で、制御部７により生成された制御信号は圧縮機２１に入力されるように構成されている。室内側上限回転数Ｎｍａｘｉ（ｉ）や、シングル用室内機４Ａの機種およびその容量に関する情報は、シングル用室内機４Ａに設けられた記憶部４５に記憶されている。
なお、制御部７による制御の詳細は後述する。
【００４３】
ここで、室外側上限回転数Ｘは、シングル用室内機４Ａ，４Ｂ，４Ｃ，４Ｄにおいて露付き等の発生を防止する目的で定められる圧縮機２１の回転数の上限であり、圧縮機２１から吐出される冷媒の流量や、室外熱交換器２３に供給される冷媒の流量などと関連する値である。本実施形態では、室外側上限回転数Ｘはシングル用室内機４Ａ，４Ｂ，４Ｃ，４Ｄの機種、および、その容量に基づいてそれぞれ異なる値が定められており、予め実験などにより値が求められている例に適用して説明する。
【００４４】
室内側上限回転数Ｎｍａｘｉ（ｉ）は、シングル用室内機４Ａ，４Ｂ，４Ｃ，４Ｄのそれぞれがシングル用室外機に接続された場合を想定して定められた圧縮機２１の回転数の上限である。
室外側上限回転数Ｘは、室内側上限回転数Ｎｍａｘｉ（ｉ）を用いた制御において発生する露付き等を防止することを目的としているため、室内側上限回転数Ｎｍａｘｉ（ｉ）よりも値が小さく設定されている。
【００４５】
シングル用室内機４Ａ，４Ｂ，４Ｃ，４Ｄには、図１に示すように、室内熱交換器４１と、吸込センサ４２と、室内熱交センサ４３と、冷房出口熱交センサ４４と、記憶部４５と、が主に設けられている。
【００４６】
室内熱交換器４１は、それぞれシングル用室内機４Ａ，４Ｂ，４Ｃ，４Ｄに配置され、室内の空気と冷媒との間で熱交換を行うものである。具体的には、冷房運転時には、室内空気の熱を冷媒に吸熱させるものであり、暖房運転時には、冷媒の熱を室内空気に放熱させるものである。
シングル用室内機４Ａ，４Ｂ，４Ｃ，４Ｄの室内熱交換器４１は、それぞれ液側操作弁２５Ａ，２５Ｂ，２５Ｃ，２５Ｄと、ガス側操作弁２６Ａ，２６Ｂ，２６Ｃ，２６Ｄと、に冷媒が流通可能に接続されている。
【００４７】
室内熱交換器４１には、シングル用室内機４Ａ，４Ｂ，４Ｃ，４Ｄに吸い込まれた室内空気の温度を測定する吸込センサ４２と、室内熱交換器４１における中央部の温度を測定する室内熱交センサ４３と、冷房時における冷媒出口となる室内熱交換器４１の端部温度を測定する冷房出口熱交センサ４４と、が配置されている。
【００４８】
次に、上記の構成からなる空気調和機１における冷房運転および暖房運転について説明する。
【００４９】
冷房運転が行われる場合には、図１に示すように、四方弁２２が切り替えられ、圧縮機２１の吐出口と室外熱交換器２３とが接続され、圧縮機２１の吸入口と室内熱交換器４１とが接続される。
圧縮機２１から吐出された高温高圧の冷媒は、マフラ２９および四方弁２２を介して、室外熱交換器２３に流入する。冷媒は室外熱交換器２３において熱を室外空気に放出して凝縮し、液冷媒となる。高圧の液冷媒は、室外熱交換器２３からレシーバ３３を介して膨張弁２４Ａ，２４Ｂ，２４Ｃ，２４Ｄに導かれる。
【００５０】
高圧の液冷媒は、膨張弁２４Ａ，２４Ｂ，２４Ｃ，２４Ｄを通過する際に断熱膨張し、低温低圧の冷媒となる。低温低圧の冷媒は、音消しキャピラリ３６、ストレーナ３７および液側操作弁２５Ａ，２５Ｂ，２５Ｃ，２５Ｄを介してシングル用室内機４Ａ，４Ｂ，４Ｃ，４Ｄの室内熱交換器４１に流入する。冷媒は室内熱交換器４１において室内空気から熱を吸収して蒸発し、気体冷媒となる。その一方で、室内空気は熱を奪われて冷却される。
【００５１】
気体冷媒は、ガス側操作弁２６Ａ，２６Ｂ，２６Ｃ，２６Ｄ、マニフォールド３８、四方弁２２、別置アキュムレータ２８およびアキュムレータ２７を介して圧縮機２１の吸入口に吸入される。吸入された冷媒は圧縮機２１により圧縮され、高温高圧の冷媒として吐出口から吐出される。以後、上述の過程が繰り返されることにより冷房運転が継続される。
【００５２】
暖房運転が行われる場合には、図１に示すように、四方弁２２が切り替えられ、圧縮機２１の吐出口と室内熱交換器４１とが接続され、圧縮機２１の吸入口と室外熱交換器２３とが接続される。
圧縮機２１から吐出された高温高圧の冷媒は、マフラ２９および四方弁２２を介して、室内熱交換器４１に流入する。冷媒は室内熱交換器４１において熱を室内空気に放出して凝縮し、液冷媒となる。その一方で、室内空気は熱を吸収して加熱される。高圧の液冷媒は、室内熱交換器４１から液側操作弁２５Ａ，２５Ｂ，２５Ｃ，２５Ｄ、ストレーナ３７および音消しキャピラリ３６を介して膨張弁２４Ａ，２４Ｂ，２４Ｃ，２４Ｄに導かれる。
【００５３】
高圧の液冷媒は、膨張弁２４Ａ，２４Ｂ，２４Ｃ，２４Ｄを通過する際に断熱膨張し、低温低圧の冷媒となる。低温低圧の冷媒は、レシーバ３３を介して室外熱交換器２３に流入する。冷媒は室外熱交換器２３において室外空気から熱を吸収して蒸発し、気体冷媒となる。
【００５４】
気体冷媒は、四方弁２２、別置アキュムレータ２８およびアキュムレータ２７を介して圧縮機２１の吸入口に吸入される。吸入された冷媒は圧縮機２１により圧縮され、高温高圧の冷媒として吐出口から吐出される。以後、上述の過程が繰り返されることにより冷房運転が継続される。
【００５５】
次に、本実施形態の特徴であるシングル用室内機４Ａ，４Ｂ，４Ｃ，４Ｄが冷房運転されるときの露付き防止制御について説明する。具体的には、圧縮機２１の回転数の上限（上限回転数）の設定、および、圧縮機２１の回転数制御について説明する。なお、以下では、説明を容易にするために、シングル用室内機４Ａが冷房運転されている場合について説明する。
図３は、図１の空気調和機にける上限回転数の設定方法を説明するフローチャートである。
【００５６】
まず、圧縮機２１の上限回転数の設定について説明する。
図３に示すように、制御部７は、空気調和機１における冷房運転が開始されると（ステップＳ１）、シングル用室内機４Ａにおいて冷房運転が開始等されてから所定の期間、例えば３０分程度が経過しているか否かを判定する（ステップＳ２）。
具体的には、シングル用室内機４Ａが停止されていた状態から冷房運転が開始され、または、冷房サーモ運転が終了して冷房運転が再開されてから所定の期間が経過しているかが判定される。このようにすることで、冷房運転の初期段階において、十分な冷房能力を確保することができ、冷房フィーリングの悪化を防止できる。
【００５７】
冷房運転が開始等されてから所定の期間が経過している（ＹＥＳ）と判定された場合、制御部７は、シングル用室内機４Ａに吸い込まれる室内空気の温度が所定の条件を満たしているか判定する（ステップＳ３（吸込温度判定ステップ））。具体的には、吸込センサ４２により測定された室内空気の温度が所定空気温度、例えば２２℃程度以上であるか、所定空気温度以上となって所定期間、例えば１分間程度を経過しているかを判定する。
【００５８】
室内空気の温度が所定の条件を満たしている（ＹＥＳ）と判定された場合、制御部７は、シングル用室内機４Ａの記憶部４５からシングル用室内機４Ａの機種および容量に関する情報を取得する。そして、取得した情報および予め記憶されているマップに基づき室外側上限回転数Ｘを制御値Ｎｍａｘｉ（ｉ）´として取得する（ステップＳ４（上限値取得ステップ））。
【００５９】
その一方で、冷房運転が開始等されてから所定の期間が経過していない（ＮＯ）と判定された場合や、室内空気の温度が所定の条件を満たしていない（ＮＯ）と判定された場合には、上述のステップＳ４の代わりに、制御部７に予め記憶されていた既定上限回転数Ａを制御値Ｎｍａｘｉ（ｉ）´として取得する（ステップＳ５（既定値取得ステップ））。
ここで、既定上限回転数Ａは、室外側上限回転数Ｘよりも大きな値を有するものであり、例えば２００（ｒｐｓ（rotation per second））程度の値を持つものである。
【００６０】
そして制御部７は、制御値Ｎｍａｘｉ（ｉ）´および室内側上限回転数Ｎｍａｘｉ（ｉ）のうち、値が小さいものを圧縮機２１の上限回転数Ｎｍａｘ（ｉ）として選択する（ステップＳ６（選択ステップ））。
つまり、冷房運転が開始等されてから所定の期間が経過し（ＹＥＳ）、かつ、室内空気の温度が所定の条件を満たしている（ＹＥＳ）と判定された場合には、制御値Ｎｍａｘｉ（ｉ）´つまり室外側上限回転数Ｘが圧縮機２１の上限回転数Ｎｍａｘ（ｉ）として選択される。それ以外の場合には、室内側上限回転数Ｎｍａｘｉ（ｉ）が圧縮機２１の上限回転数Ｎｍａｘ（ｉ）として選択される。
【００６１】
図４から図６は、図１の空気調和機における圧縮機の回転数制御を説明するフローチャートである。
次に、圧縮機２１の回転数制御について図４から図６を参照しながら説明する。
図４に示すように、制御部７は、空気調和機１における冷房運転が開始されると（ステップＳ１１）、冷房運転が行われている室内機台数の判定が行われる（ステップＳ１２）。４台のシングル用室内機４Ａ，４Ｂ，４Ｃ，４Ｄが設けられている本実施形態では、冷房運転されているシングル用室内機が２台以下か否かが判定される。
【００６２】
冷房運転されているシングル用室内機が２台以下である（ＹＥＳ）場合には、冷房運転されているシングル用室内機（ここではシングル用室内機４Ａが冷房運転されている例に適用して説明する。）において冷房運転が開始等されてから所定の期間、例えば５分程度が経過しているか否かが判定される（ステップＳ１３）。
シングル用室内機４Ａにおいて冷房運転が開始等されてから所定の期間が経過している（ＹＥＳ）場合には、要求回転数Ｎｔｉ（ｉ）が要求回転数の下限値Ｂより大きいか否かが判定される（ステップＳ１４）。
【００６３】
ここで、要求回転数Ｎｔｉ(ｉ)の求め方について以下に説明する。
要求回転数Ｎｔｉ(ｉ)は、上述のように演算部６において、吸込センサ４２による測定値ＴｈＩ-Ａ（ｉ）、および、設定温度から求められる設定補正温度ＴＳ（ｉ）に基づいて算出される。
【００６４】
具体的には、偏差Ｅ（ｉ）、偏差Ｅ（ｉ）の時間的変化分ΔＥ（ｉ）および回転数の増分ΔＮｆに基づいて要求回転数Ｎｔｉ(ｉ)が求められる。
偏差Ｅ（ｉ）は、測定値ＴｈＩ-Ａ（ｉ）および設定補正温度ＴＳ（ｉ）の偏差であり、以下の式に基づいて求められる。説明の容易化のため、以下では添え字の（ｉ）は省略する。
暖房時：Ｅ（ｎ）＝ＴＳ（ｎ）−ＴｈＩ-Ａ（ｎ）  （℃）
冷房時：Ｅ（ｎ）＝ＴｈＩ-Ａ（ｎ）−ＴＳ（ｎ）  （℃）
ここで、ｎはサンプリング回数を表わしている。また、偏差Ｅ（ｉ）の値は、０．２５℃ごとに切り捨てられ量子化が図られている。
【００６５】
偏差Ｅの時間的変化分ΔＥは、以下の式に基づいて求められる。
ΔＥ（ｎ）＝（Ｅ（ｎ−１）−Ｅ（ｎ））÷Ｔ
ここで、Ｔはサンプリングタイムであり、本実施形態では４０秒程度の例に適用して説明する。また、偏差Ｅの時間的変化分ΔＥの値は、０．２５℃／秒ごとに切り捨てられ量子化が図られている。
【００６６】
回転数の増分ΔＮｆは、上述の式で求められたＥ、ΔＥ、および、予め定められたテーブルに基づいて求められる。このテーブルにおける回転数の増分ΔＮｆの値は、ファジイ演算の規則に従って決定されている。
【００６７】
演算部６は、上述のようにして求めた回転数の増分ΔＮｆ、および、前回のサンプリング時における要求回転数Ｎｔｉ(ｎ−１)に基づいて、今回のサンプリング時における要求回転数Ｎｔｉ(ｎ)を算出する。
つまり、−２４＜Ｎｔｉ(ｎ−１)＜０  かつ  ΔＮｆ≧０の時には、以下の式
Ｎｔｉ(ｎ)＝０＋ΔＮｆ
に基づいて要求回転数Ｎｔｉ(ｎ)を算出する。
【００６８】
Ｎｔｉ(ｎ−１)＝−２４  かつ  ΔＮｆ＞０の時には、以下の式
Ｎｔｉ(ｎ)＝０
に基づいて演算部６は要求回転数Ｎｔｉ(ｎ)を算出する。このとき、室内機では冷房サーモ運転が停止され、冷房運転を再開する。
【００６９】
上述の２つの場合以外のときには、以下の式
Ｎｔｉ(ｎ)＝Ｎｔｉ(ｎ−１)＋ΔＮｆ
に基づいて演算部６は要求回転数Ｎｔｉ(ｎ)を算出する。
ここで、Ｎｔｉの最小値は−２４であり、室内機はＮｔｉ＝−２４を受け取ると、冷房運転が停止され、冷房サーモ運転が開始される。
【００７０】
要求回転数Ｎｔｉ（ｉ）が要求回転数の下限値Ｂよりも大きい（ＹＥＳ）場合には、室内熱交センサ４３により測定された温度が所定熱交温度、例えば１６℃程度未満か否かが判定される（ステップＳ１５）。
【００７１】
室内熱交センサ４３により測定された温度が所定熱交温度未満（ＹＥＳ）の場合には、外気温度センサ３５により測定された室外空気温度が所定の温度、例えば２３℃程度以上か否かが判定される（ステップＳ１６）。
【００７２】
外気温度センサ３５により測定された室外空気温度が所定の温度以上（ＹＥＳ）の場合には、図５に示すように、サンプリングタイマＴ１の期間、本実施形態では５分程度が設定される（ステップＳ１７）。
【００７３】
次に、制御部７において圧縮機２１における回転数の制御モードＭＤの判定が行われる（ステップＳ１９）。
具体的には制御部により、室内熱交センサ４３の測定値ＴｈＩ-Ｒ１（ｉ）、サンプリングタイマＴ１およびサンプリングタイマＴ２の状態および制御ステータスＳＴの状態からなる以下の表に基づいて制御モードＭＤの判定が行われる。
【表１】
0005631012.tif 000002
【００７４】
図７は、室内熱交換センサにより測定された温度の判定条件を説明するグラフである。
制御部７は、上述の表および図７に示すように、室内熱交センサの測定値ＴｈＩ-Ｒ１（ｉ）が１６℃（所定熱交温度値）未満の場合には「０」と判定し、１６℃以上１８℃未満の場合には「１」と、１８℃以上の場合には「２」と判定する。
【００７５】
サンプリングタイマＴ１の状態や、サンプリングタイマＴ２の状態とは、サンプリングタイマＴ１や、サンプリングタイマＴ２によるサンプリング期間が５分未満か否かを示すものであり、サンプリング期間が５分未満のときには「０」、５分を経過したときには「１」となるものである。
制御ステータスＳＴの状態とは、制御部７による制御が通常の冷房制御中か、本実施形態の特徴である露付き防止制御中かを示すものであり、通常の冷房制御中には「０」、露付き防止制御中には「１」となるものである。
【００７６】
上述の表に示すように、測定値ＴｈＩ-Ｒ１（ｉ）が「０」，「１」または「２」であって、サンプリングタイマＴ１の状態が「１」、サンプリングタイマＴ２の状態が「０」かつ制御ステータスＳＴの状態が「１」の場合には、制御モードＭＤが「０」（ＭＤ＝０）と判定される。
【００７７】
その一方で、測定値ＴｈＩ-Ｒ１（ｉ）が「０」、サンプリングタイマＴ１の状態が「１」かつ制御ステータスＳＴの状態が「０」の場合、および、測定値ＴｈＩ-Ｒ１（ｉ）が「０」、サンプリングタイマＴ１の状態が「１」、サンプリングタイマＴ２の状態が「１」かつ制御ステータスＳＴの状態が「１」の場合には、制御モードＭＤが「１」（ＭＤ＝１）と判定される。
【００７８】
測定値ＴｈＩ-Ｒ１（ｉ）が「１」、サンプリングタイマＴ１の状態が「１」、サンプリングタイマＴ２の状態が「１」かつ制御ステータスＳＴの状態が「１」の場合には、制御モードＭＤが「２」（ＭＤ＝２）と判定される。
測定値ＴｈＩ-Ｒ１（ｉ）が「２」、サンプリングタイマＴ１の状態が「１」、サンプリングタイマＴ２の状態が「１」かつ制御ステータスＳＴの状態が「１」の場合には、制御モードＭＤが「３」（ＭＤ＝３）と判定される。
【００７９】
それ以外の場合、つまり、測定値ＴｈＩ-Ｒ１（ｉ）が「０」，「１」または「２」かつサンプリングタイマＴ１の状態が「０」の場合、測定値ＴｈＩ-Ｒ１（ｉ）が「１」または「２」かつサンプリングタイマＴ１の状態が「１」かつ制御ステータスＳＴの状態が「０」の場合には、制御モードＭＤが「４」（ＭＤ＝４）と判定される。
【００８０】
制御モードＭＤが「０」と判定された場合には、図５および図６に示すように、次回のサンプリングが行われるまで待つ制御が行われる。つまり、制御部７は、再びステップＳ１２に戻るループをサンプリング期間が経過するまで繰り返す。
【００８１】
制御モードＭＤが「１」と判定された場合には、図５および図６に示すように、圧縮機２１の回転数を減少させる制御、言い換えると回転数減少モード（吐出流量減少モード）の制御が行われる。
つまり、制御部７は、回転数の補正値Δｒｐｓを−８（ｒｐｓ）とし（ステップＳ２０）、制御ステータスＳＴの状態を露付き防止制御中であること示す「１」とし（ステップＳ２１）、サンプリングタイマＴ２によるサンプリング期間を５分にセットする（ステップＳ２２）。
【００８２】
その後、図６に示すように、制御部７は回転数補正値Δｒｐｓの積算値であるΣΔｒｐｓが、積算値の下限値Ｃ未満であるか否かの判定を行う（ステップＳ２３）。
積算値ΣΔｒｐｓが下限値Ｃ未満である（ＹＥＳの）場合には、制御部７は、積算値ΣΔｒｐｓの値を積算値の下限値Ｃに置き換える（ステップＳ２４）。
その一方で、積算値ΣΔｒｐｓが、積算値の下限値Ｃ以上の場合には、上述のステップＳ２４を飛ばして次のステップに進む。
【００８３】
そして制御部７は、要求回転数Ｎｔｉ(ｉ)に回転数補正値Δｒｐｓを加算した補正後の要求回転数Ｎｔｉ(ｉ)´を算出し（ステップＳ２５）、補正後の要求回転数Ｎｔｉ(ｉ)´が要求回転数の下限値Ｂ以下であるか否か判定する（ステップＳ２６）。
補正後の要求回転数Ｎｔｉ(ｉ)´が下限値Ｂ以下である（ＹＥＳの）場合には、制御部７は、補正後の要求回転数Ｎｔｉ(ｉ)´を下限値Ｂに置き換える（ステップＳ２７）。その一方で、補正後の要求回転数Ｎｔｉ(ｉ)´が下限値Ｂを超えている（ＮＯの）場合には、制御部７は、補正後の要求回転数Ｎｔｉ(ｉ)´の値の変更を行わない。
【００８４】
制御部７は、このようにして得られた補正後の要求回転数Ｎｔｉ(ｉ)´に基づいて圧縮機２１の回転数を制御する。その後、再びステップＳ１２に戻り上述の制御が繰り返される。
【００８５】
制御モードＭＤが「２」と判定された場合には、図５に示すように、圧縮機２１の回転数を維持する制御、言い換えると回転数維持モード（吐出流量維持モード）の制御が行われる。
つまり、制御部７は、回転数の補正値Δｒｐｓを０（ｒｐｓ）とする（ステップＳ２８）。その後、図５および図６に示すように、ステップＳ２１以降の内容の制御が行われる。
【００８６】
制御モードＭＤが「３」と判定された場合には、図５に示すように、圧縮機２１の回転数を増加させる制御、言い換えると回転数増加モード（吐出流量増加モード）の制御が行われる。
つまり、制御部７は、回転数の補正値Δｒｐｓを＋４（ｒｐｓ）とし（ステップＳ２９）、回転数補正値Δｒｐｓの積算値ΣΔｒｐｓが０（ｒｐｓ）であるか否かを判定する（ステップＳ３０）。積算値ΣΔｒｐｓが０（ｒｐｓ）でない（ＮＯ）と判定された場合には、その後、図５および図６に示すように、ステップＳ２１以降の内容の制御が行われる。
【００８７】
その一方で、ステップＳ１２において冷房運転されているシングル用室内機が２台を超えている（ＮＯ）場合、ステップＳ１３においてシングル用室内機４Ａにおいて冷房運転が開始等されてから所定の期間が経過していない（ＮＯ）場合、ステップＳ１４において要求回転数Ｎｔｉ（ｉ）が要求回転数の下限値Ｂ以下（ＮＯ）の場合、ステップＳ１５において室内熱交センサ４３により測定された温度が所定熱交温度以上（ＮＯ）の場合、および、ステップＳ１６において外気温度センサ３５により測定された室外空気温度が所定の温度未満（ＮＯ）の場合には、図５に示すように、サンプリングタイマＴ１の期間が０に設定、つまりクリアされる（ステップＳ１８）。
【００８８】
その後制御部７は、図５に示すように、制御ステータスＳＴの状態を通常の冷房制御中であることを示す「０」とし（ステップＳ３１）、サンプリングタイマＴ２によるサンプリング期間を０に設定、つまりクリアする（ステップＳ３２）。さらに制御部７は、回転数補正値Δｒｐｓの積算値ΣΔｒｐｓを０に設定し（ステップＳ３３）する。その後、再びステップＳ１２に戻り上述の制御が繰り返される。
【００８９】
ステップＳ１９において制御モードＭＤが「４」と判定された場合には、露付き防止制御が解除される。つまり、図４から図６に示すように、制御部７は、ステップＳ１８が行われた後のステップＳ３１以降の内容の制御を行う。
さらにステップＳ３０において積算値ΣΔｒｐｓが０（ｒｐｓ）である（ＹＥＳ）と判定された場合にも同様に、制御部７は、ステップＳ１８が行われた後のステップＳ３１以降の内容の制御を行う。
【００９０】
上記の構成によれば、シングル用室内機４Ａ，４Ｂ，４Ｃ，４Ｄに記憶されている室内側上限回転数Ｎｍａｘｉ（ｉ）や、シングル用室内機４Ａ，４Ｂ，４Ｃ，４Ｄにおける風量の制御などに関わらず、室外機２に接続されたシングル用室内機４Ａ，４Ｂ，４Ｃ，４Ｄにおける露付きや結露を防止することができる。
【００９１】
具体的には、露付き等が発生しやすい状態、つまり、シングル用室内機４Ａ，４Ｂ，４Ｃ，４Ｄに吸い込まれる空気の温度が所定空気温度（例えば、２２℃程度。）以上になって所定期間（例えば、１分間程度。）が経過した状態になった場合には、圧縮機２１の回転数の上限は室外側上限回転数Ｘとされる。このことにより、室内側上限回転数Ｎｍａｘｉ（ｉ）を回転数の上限とした場合と比較して、圧縮機２１から吐出される冷媒流量の最大値が小さくなり、シングル用室内機４Ａ，４Ｂ，４Ｃ，４Ｄにおける冷房能力が低く抑えられる。その結果、シングル用室内機４Ａ，４Ｂ，４Ｃ，４Ｄにおける露付きや結露の発生を防止できる。さらに、室外側上限回転数Ｘは室外機２に設けられた制御部７に記憶されているため、シングル用室内機４Ａ，４Ｂ，４Ｃ，４Ｄに改造を施す等の手間をかけることなく、シングル用室内機４Ａ，４Ｂ，４Ｃ，４Ｄにおける露付きや結露の発生を防止できる。
【００９２】
一方で、露付き等が発生しにくい状態、つまり、シングル用室内機４Ａ，４Ｂ，４Ｃ，４Ｄに吸い込まれる空気の温度が所定空気温度未満であったり、所定空気温度以上であっても所定期間が経過していなかったりする場合には、圧縮機２１の回転数の上限は室内側上限回転数Ｎｍａｘｉ（ｉ）とされる。ここで、室内側上限回転数Ｎｍａｘｉ（ｉ）は、露付き等の防止を考慮することなくシングル用室内機４Ａ，４Ｂ，４Ｃ，４Ｄの形式や容量に基づいて定められたものであって、露付き等の防止を目的として定められた室外側上限回転数Ｘと比較して値が大きいものである。そのため、室外側上限回転数Ｘを回転数の上限とした場合と比較して、圧縮機２１の回転数の最大値が大きくなり、シングル用室内機４Ａ，４Ｂ，４Ｃ，４Ｄは設計により定められた冷房能力を発揮することができる。
【００９３】
特に、シングル用室内機４Ａ，４Ｂ，４Ｃ，４Ｄに供給される冷媒流量が過剰になり露付き等が発生しやすい状態、つまり、室外機２に接続されている複数のシングル用室内機４Ａ，４Ｂ，４Ｃ，４Ｄにおける過半数において冷房運転が停止され、半数以下のシングル用室内機、例えばシングル用室内機４Ａにおいて冷房運転が行われている状態であっても、シングル用室内機４Ａにおける露付きや結露を防止することができる。
【００９４】
具体的には、室内熱交換器４１の温度が所定熱交温度未満では、要求回転数を減らす補正を行い、補正後の要求回転数に基づいて圧縮機２１が制御される。これにより、圧縮機２１から吐出される冷媒の流量が減らされ、室内熱交換器４１に供給される冷媒の流量も減らされる。その結果、室内熱交換器４１の温度が所定熱交温度以上になり、シングル用室内機４Ａにおける露付きや結露の発生を防止できる。
【符号の説明】
【００９５】
１  空気調和機
２  室外機（マルチ用室外機）
４Ａ，４Ｂ，４Ｃ，４Ｄ  シングル用室内機
７  制御部
２１  圧縮機
４５  記憶部
Ｘ  室外側上限回転数（室外側上限要求流量）
Ｎｍａｘｉ（ｉ）  室内側上限回転数（室内側上限要求流量）
Ｓ３  吸込温度判定ステップ
Ｓ４  上限値取得ステップ
Ｓ５  既定値取得ステップ
Ｓ６  選択ステップ
【図１】
0005631012.tif 000003
【図２】
0005631012.tif 000004
【図３】
0005631012.tif 000005
【図４】
0005631012.tif 000006
【図５】
0005631012.tif 000007
【図６】
0005631012.tif 000008
【図７】
0005631012.tif 000009